(57)【要約】      （修正有）【課題】  プリント基板を簡単、且つ確実に位置決め固定を可能とする。【解決手段】  スピーカを備え耳孔に挿入されるイヤホン部と、一端側にマイクを備えた本体部とを有し、これらが一体化されてなるヘッドセットである。本体部の本体ケース部４a内には、所定の回路が形成されたプリント基板７が収納されており、プリント基板は、本体ケース部に設けられたフック９，１０，１１を係止することにより取り付け固定されている。また、プリント基板は、本体ケース部に設けられた複数の支持片により面内方向及びこれと直交する方向において位置決めされている。【選択図】  図２
2005109942.tif 000002
【特許請求の範囲】
【請求項１】
スピーカを備え耳孔に挿入されるイヤホン部と、一端側にマイクを備えた本体部とを有し、これらが一体化されてなるヘッドセットにおいて、
上記本体部の本体ケース部内には、所定の回路が形成されたプリント基板が収納されており、
上記プリント基板は、本体ケース部に設けられたフックを係止することにより取り付け固定されていることを特徴とするヘッドセット。
【請求項２】
上記プリント基板は、本体ケース部に設けられた複数の支持片により面内方向及びこれと直交する方向において位置決めされていることを特徴とする請求項１記載のヘッドセット。
【請求項３】
上記プリント基板は、リジッド基板であることを特徴とする請求項１記載のヘッドセット。
【請求項４】
上記プリント基板は、本体ケース部に取り付けた後、リード線が半田付けされていることを特徴とする請求項１記載のヘッドセット。
【発明の詳細な説明】
【技術分野】
【０００１】
本発明は、耳に装着して無線通話等を行うヘッドセットに関するものであり、特に、内部回路を構成するプリント基板の取り付け構造の改良に関する。
【背景技術】
【０００２】
ハンズフリーでの通話を可能とする装置として、スピーカやマイクを内蔵し、耳に装着して使用する、いわゆるヘッドセットが知られている。ヘッドセットの形態としては、いわゆるヘッドホンスタイルのものが多用されており、いずれか一方の耳当てからマイクが口元まで延長された形態のものが一般的である。
【０００３】
これに対して、無線通信のためのマイクロホンやスピーカ、回路基板、充電池等を全てカバーにて密閉されたケース部材内に収容し、より一層の小型化を図ったものが開発されている。このようなヘッドセットでは、指向性の高いマイクロホンを使用することで、マイクを口元まで延長する必要をなくし、使用感の一層の向上が図られている。
【０００４】
ところで、このようなヘッドセットにおいては、ケース部材内に必要な回路を形成したプリント基板を収容する必要があり、装置構成を簡略化するためには、その取り付け構造の簡略化が望まれる。
【０００５】
プリント基板を機器内に固定する方法としては、ネジ止めによる方法が主流である。しかしながら、ネジ止めによる方法では、ネジ止め作業が煩雑で、生産性が低下するという問題があり、また、部品点数の増加によるコスト増の問題もある。
【０００６】
そこで、電子機器内へのプリント基板の組み込みに、弾性フックを利用する方法も提案されている（例えば、特許文献１等を参照）。特許文献１には、ラバーコネクタによってプリント基板と液晶表示板とを電気的に接続する場合に、フックによってプリント基板をケースに取り付け固定するとともに、プリント基板のラバーコネクタが配置される辺に弾性フックを配置する構造が開示されている。
【特許文献１】特開平７−２３１１８１号公報
【発明の開示】
【発明が解決しようとする課題】
【０００７】
しかしながら、このような弾性フックを配置する構造では、弾性フックという特殊なフックが必要である上、プリント基板の取り付け状態が安定せず、振動が耳に響く等の不都合が生ずる虞れがある。また、上記のような弾性フックで固定した場合、プリント基板装着後の半田付けは難しく、例えば内蔵される電池やマイクロホン、スピーカ等のリード線を半田付け接続することは困難で、作業性が著しく悪いという問題もある。上述のヘッドセットの場合、小型化が必須であり、簡単な構造でプリント基板を確実に位置決め固定できることが望まれる。また、小型であるが故に、半田付け作業等が行い易いことも要求される。
【０００８】
そこで本発明は、このような従来の実情に鑑みて提案されたものであり、プリント基板を簡単、且つ確実に位置決め固定することができ、プリント基板装着後の半田付けも可能で、小型化が容易で生産性に優れたヘッドセットを提供することを目的とする。
【課題を解決するための手段】
【０００９】
上述の目的を達成するために、本発明のヘッドセットは、スピーカを備え耳孔に挿入されるイヤホン部と、一端側にマイクを備えた本体部とを有し、これらが一体化されてなるヘッドセットにおいて、上記本体部の本体ケース部内には、所定の回路が形成されたプリント基板が収納されており、上記プリント基板は、本体ケース部に設けられたフックを係止することにより取り付け固定されていることを特徴とする。
【００１０】
本発明のヘッドセットでは、内蔵されるプリント基板を本体ケース部に設けられたフックによる係止により固定している。したがって、プリント基板を固定するためのネジ等の部品が必要なく、簡単に取り付け固定可能である。また、上記フックに加えて本体ケース部に複数の支持片を設け、これらによりプリント基板を面内方向及びこれと直交する方向において支持することにより、確実に位置決め固定される。さらに、これら構造によりプリント基板が本体ケース部に強固に固定されるため、プリント基板取り付け後にリード線等を半田付けすることも可能である。
【発明の効果】
【００１１】
以上の説明からも明らかなように、本発明のヘッドセットによれば、プリント基板を簡単、且つ確実に位置決め固定することができ、プリント基板装着後の半田付けも可能で、小型化が容易で生産性に優れたヘッドセットを提供することが可能である。
【発明を実施するための最良の形態】
【００１２】
以下、本発明を適用したヘッドセットについて、図面を参照して詳細に説明する。
【００１３】
本発明のヘッドセット１は、図１に示すように、略々たまご形の本体部２と、イヤホン部３とからなり、このイヤホン部３を使用者の耳孔に挿入することで装着される。そして、本体部２には、装着時に装着者の口の近くまで張り出す先端部分に集音用のマイクロホンが収容されており、装着者の耳孔内に挿入されるイヤホン部３には、スピーカがそれぞれ収容されている。マイクロホンが収容された側が前方となるように装着すれば、使用者は、受信した音声をイヤホン部３で聞き、マイクロホンを通じて音声を送信することができる。
【００１４】
上述したような構成のヘッドセット１において、本体部２やイヤホン部３はプラスチック製のケースにより覆われているが、このプラスチック製のケースは、略楕円形の浅皿状を呈する本体ケース部４ａと、この本体ケース部４ａの底面外側に設けられたイヤホンケース部４ｂとからなるケース部材４と、このケース部材４の本体ケース部４ａの開放面側を覆うように強固に取り付けられる略楕円形状のドーム状を呈するカバー部材５と、ケース部材４のイヤホンケース部４ｂの開放面側を覆うように強固に取り付けられるイヤホンカバー部材６とから構成されている。
【００１５】
ケース部材４には、本体部２を構成する本体ケース部４ａ部分に上述したマイクロホンや、回路基板等の電子部品、及びこれらの電源となる電池が収容されている。また、ケース部材４には、本体ケース部４ａの後方側にストラップ取付部２３が孔部として設けられている。さらに、ケース部材４のイヤホンケース部４ｂ部分には、スピーカが収容されており、イヤホン部３を構成している。
【００１６】
上述の通り、本体ケース部４ａには、回路基板であるプリント基板や電源となる充電池が収納されているが、以下、これらの収納構造について説明する。
【００１７】
図２は、本発明のヘッドセット１におけるプリント基板７及び充電池８の収納状態を分解して示すものである。充電池８は、本体ケース部４ａの球面状の凹部に収容され、この上に覆い被せる形でプリント基板７が本体ケース部４ａに対して取り付けられる。
【００１８】
上述の構造において、プリント基板７は、本体ケース部４ａに対して、複数の支持片によって水平方向及び垂直方向の位置決めがなされた上で、フックにより取り付け固定されている。プリント基板７は、剛性を有する、いわゆるリジッド基板であり、上記フックによる取り付け固定により、本体ケース部４ａに強固に組み付けられた状態となる。
【００１９】
このプリント基板７の本体ケース部４ａへの取り付けを説明すると、図３乃至図５に示すように、本体ケース部４ａには、３カ所のフック９、１０、１１と、９カ所の位置決め用の支持片１２、１３、１４、１５、１６、１７、１８、１９、２０が設けられており、これらによって水平方向及び垂直方向の位置決めがなされ、取り付け固定されている。
【００２０】
これらフック９、１０、１１は、いずれもプリント基板７の上面に係止する係止爪９ａ、１０ａ、１１ａを有し、フック９はプリント基板７の前方側の端面においてこれを固定する。また、フック１０、１１は、それぞれプリント基板７の両側面に対向して配置され、プリント基板７を側面側から支持し、固定する。
【００２１】
一方、支持片１２、１３は、フック１１の両側に位置し、段差部が設けられ、その底面１２ａ、１３ａでプリント基板７の底面を支持し、垂直方向の位置決めを行うとともに、端面１２ｂ、１３ｂでプリント基板７の前方側の端面の位置規制を行っている。
【００２２】
支持片１４、１５及び支持片１６、１７は、それぞれプリント基板７を側面側から支持するフック１０、１１の両側に隣接して配置されている。各フック１４、１５、１６、１７には、やはり段差部が形成されており、それぞれの底面１４ａ、１５ａ、１６ａ、１７ａでプリント基板７の底面を支持し、垂直方向の位置決めを行う。
【００２３】
また、支持片１４、１６の端面１４ｂ、１６ｂは、プリント基板７の側面に突き当てられ、プリント基板７の図４の上下方向における位置規制を行う。支持片１４、１６の端面１４ｃ、１６ｃは、プリント基板７の突部に突き当てられ、プリント基板７の図４の左右方向における位置規制を行う。同様に、支持片１５、１７の端面１５ｂ、１７ｂは、プリント基板７の側面に突き当てられ、プリント基板７の図４の上下方向における位置規制を行う。支持片１５、１７の端面１５ｃ、１７ｃは、プリント基板７の突部に突き当てられ、プリント基板７の図４の左右方向における位置規制を行う。
【００２４】
支持片１８、１９は、プリント基板７の底面を支持して、垂直方向の位置決めを行うために設けられている。支持片２０も、プリント基板７の底面を支持して、垂直方向の位置決めを行うためのものであるが、その中央部に突起２０ａが設けられ、この突起２０ａがプリント基板７に設けられた切り込みに嵌合される。
プリント基板７の図４における右側の端面には、フックが設けられておらず、したがって、先のフック１１と支持片２０の突起２０ａによって、プリント基板７の図４中左右方向の位置規制が行われる。
【００２５】
以上のようにしてプリント基板７を本体ケース部４ａに取り付けることにより、例えばネジ止め等を要することなく、プリント基板７を本体ケース部４ａに装着することが可能である。それと同時に、充電池８の収納固定も行われる。プリント基板７は、フック９、１０、１１の係止を解除することで簡単に取り外すことができ、したがって、充電池８の交換等も容易に行うことができる。
【００２６】
また、プリント基板７が強固に固定されているので、プリント基板７を本体ケース部４ａに組み付けた後に、プリント基板７に対してリード線の半田付けが可能である。図６は、プリント基板７の本体ケース部４ａへの組み付け状態を示すものであるが、例えばマイクロホンのリード線２１や、内蔵される充電池８のリード線２２、２３等をプリント基板
７の組み付け後に半田付け接続している。プリント基板７の組み付け後にリード半田が可能であるということは、柔軟な組み立て性となり、組み立て作業を行う上で非常に有利である。
【図面の簡単な説明】
【００２７】
【図１】本発明を適用したヘッドセットの一例を示す側面図である。
【図２】ヘッドセットの分解斜視図である。
【図３】本体ケース部の平面図である。
【図４】本体ケース部の正面図である。
【図５】本体ケース部の側面図である。
【図６】プリント基板の組み付け状態を示す平面図である。
【符号の説明】
【００２８】
１  ヘッドセット
２  本体部
４  ケース部材
４ａ  本体ケース部
５  カバー部材
７  プリント基板
８  充電池、
９、１０、１１  フック
１２、１３、１４、１５、１６、１７、１８、１９、２０  支持片
２１、２２、２３  リード線
【図１】
2005109942.tif 000003
【図２】
2005109942.tif 000004
【図３】
2005109942.tif 000005
【図４】
2005109942.tif 000006
【図５】
2005109942.tif 000007
【図６】
2005109942.tif 000008